(57)【要約】【課題】ＡＣアダプタなどのプラグの抜き差し時に発生する衝撃がＤＣジャックのようなコネクタを介してＨＤＤ等の衝撃に弱いユニットへ伝わり、誤動作（書き込みエラー等）が発生するため、それを軽減するコネクタ配置構造の提供を目的とする。【解決手段】内部基板１０１に半導体チップ等の実装後、ＤＣジャック１０４を圧入気味に嵌め込んだ弾性体１０２を配置し、ＤＣジャック１０４の端子を内部基板１０１の孔に挿入、ビス１０３で弾性体１０２を内部基板１０１に固定する。最後にＤＣジャック１０４の端子を内部基板１０１の裏側から半田１０５で固定させる。これにより、ＤＣジャック１０４に加えられた衝撃を弾性体１０２で吸収することで、衝撃に弱いユニットへの伝達を防ぐ。【選択図】図１
2007087869.tif 000002
【特許請求の範囲】
【請求項１】
電子機器の内部基板と、内部基板に実装されるコネクタと、前記コネクタを弾性的に保持するとともに前記内部基板に取り付けられる弾性体とを備えたコネクタ配置構造。
【請求項２】
電子機器筐体と、前記電子機器筐体に設けられた開口部と、外周を前記開口部に保持され、内周でコネクタの外形を保持するようにした弾性体と、前記弾性体に圧入固定されるコネクタとを備えたコネクタ配置構造。
【請求項３】
コネクタは、ＡＣアダプタのプラグが着脱可能に挿入されるＤＣジャックである請求項１または請求項２記載のコネクタ配置構造。
【請求項４】
請求項１乃至請求項３のいずれかに記載のコネクタ配置構造を備え、筐体内部に振動や衝撃に弱いユニットを有する電子機器。
【発明の詳細な説明】
【技術分野】
【０００１】
本発明は、ＡＣアダプタを接続するためのＤＣジャックなどのコネクタ配置構造および電子機器に関する。
【背景技術】
【０００２】
従来、ノートパソコン（以下ノートＰＣと称する）などの携帯性を有する電子機器は、通常、携帯時には電池駆動、オフィス等ではＡＣアダプタを装着して使用していた。一般的に、ＡＣアダプタは、電子機器から着脱可能なように、電子機器本体に取り付けられたＤＣジャックにプラグを差し込むことにより電気的に接続される。ＤＣジャックは、電子機器の内部基板に直接半田付けにより固定されるか、もしくは直接電子機器の筐体に固定され、配線コネクタを経由して、内部基板に接続するという構造をとっている。このような構造の１例として、例えば、特許文献１に記載されているようなものがある。この例では、電子機器の筐体の外側に直接ＤＣジャックを取り外し可能な状態で取り付け、ＡＣアダプタ側の断線を防ぐという構造としている。
【０００３】
図３に、ＡＣアダプタの断線を防ぐようにした電子機器のＤＣコード接続機構の組み立て状態の平面図を示す。図３において、１は電子機器であるノートパソコンの筐体を示し、２は内部基板、３は内部基板２とジャック４を接続する内部ケーブルを示している。８は電源を供給するＡＣアダプタ、７はプラグで、６はＡＣアダプタ８とプラグ７をつないでいるＤＣコードである。内部ケーブル３は先端の内部プラグ９で内部基板２上の内部ジャック１０に接続されている。これにより、ＡＣアダプタ８から内部基板２に電源が供給される。
【０００４】
ここで、操作者の不注意により、プラグ７をＤＣジャック４から抜くときに必要以上の応力が生じた場合、従来の構造であれば、プラグ７とＤＣコード６の境界に大きな力がかかり、最悪この部分で断線が生じ、その場合はＡＣアダプタ全体を交換することになり大幅な修理コストアップとなっていたが、この発明では、ＤＣジャック４を図３のように筐体１から取りはずした状態で接続させるため、プラグ７を強く引っ張った時に、ＤＣコード６、プラグ７、ＡＣアダプタ８には影響を与えず、内部ケーブル３と内部ジャック９との間で断線が起こる。
【０００５】
上記の構造により、ＡＣアダプタ側の断線を防ぎ、ＤＣジャック側で断線させることにより、断線時の修理コストを軽減することができる。
【特許文献１】特開平９−１２０８５８号公報
【発明の開示】
【発明が解決しようとする課題】
【０００６】
近年、ノートＰＣなどの携帯性を有する電子機器においては、軽量化が進められる一方で、内部に取り付けられる記憶装置であるハードディスクドライブ（以下ＨＤＤと称する）の高容量化も進んでいる。ＨＤＤは振動や衝撃の影響を受けやすく、ＨＤＤ自身の軽量化、高容量化、および電子機器の軽量化によってさらに影響を受けやすくなっている。
【０００７】
上記特許文献１の構成では、断線時における修理コストの軽減には有効であるが、ＤＣジャック側で断線させるということは、基板に取り付けられている内部ジャックに衝撃がかかりやすく、断線時に加わる基板への衝撃はこの構造では不利に作用する。したがって、ＤＣジャックに加わった衝撃は、筐体、基板を経由してノートＰＣ内部のＨＤＤに伝わることとなる。その衝撃によって、ノートＰＣの誤動作（Ｄｉｓｋ書き込みエラー等）を引き起こすこととなる。
【０００８】
また、特許文献１とは異なる従来の構造においては、ＡＣアダプタ側のコードが引っ張られると、軽量化された電子機器は一緒に引っ張られて動いてしまう。これによって内部のＨＤＤにもその衝撃が加わり、やはりノートＰＣの誤動作を起こしてしまう。また、不注意でなくても、通常１日に数回行われるＡＣアダプタのプラグの抜き差しによってもコードが引っ張られ、ノートＰＣに誤動作を引き起こす恐れがあった。
【０００９】
本発明は、ＤＣジャックのようなコネクタに加わった衝撃がノートＰＣ内部のＨＤＤなどの振動や衝撃の影響を受けやすいユニットに伝わることを軽減させることを目的とする。
【課題を解決するための手段】
【００１０】
上記従来の課題を解決するために本発明のコネクタ配置構造は、電子機器の内部基板と、内部基板に実装されるコネクタと、コネクタを弾性的に保持するとともに内部基板に取り付けられる弾性体とを備えたものである。
【００１１】
あるいは、電子機器筐体と、電子機器筐体に設けられた開口部と、外周を開口部に装着され、内周でコネクタの外形を保持するようにした弾性体と、弾性体に圧入固定されるコネクタとを備えたものである。
【００１２】
その結果、ＡＣアダプタなどのプラグ挿抜時に、ＤＣジャックのようなコネクタを介して伝わるＨＤＤなどの振動や衝撃の影響を受けやすいユニットへの衝撃を軽減させ、衝撃によるノートＰＣの誤動作を防ぐことができる。
【発明を実施するための最良の形態】
【００１３】
以下、本発明の実施形態について、図１および図２を用いて説明する。
【００１４】
（実施の形態１）
図１は本発明の実施形態１の電子機器であるノートＰＣの筐体内部のＤＣジャック配置構造を示すもので、図１（ａ）は斜視図、図１（ｂ）は組み立て状態を示す断面図である。図において、１０１は半導体チップ（図示せず）等を実装する内部基板であり、１０２は弾性体、１０３はビス、１０４はＤＣジャック、１０５は半田である。また、図示していないが、ノートＰＣの内部にはＨＤＤなどの振動や衝撃の影響を受けやすいユニットも設けられている。組み立て方法は、内部基板１０１に半導体チップ等の実装後、ＤＣジャック１０４を圧入気味に嵌め込んだ弾性体１０２を配置し、ＤＣジャック１０４の端子を内部基板１０１の孔（図示せず）に挿入、ビス１０３で弾性体１０２を内部基板１０１に固定する。最後にＤＣジャック１０４の端子を内部基板１０１の裏側から半田１０５で固定させる。なお、ＤＣジャック１０４の端子は弾性を有するものを使用する。
【００１５】
以上のように構成された本実施の形態のＤＣジャック配置構造において、図には示していないが、電子機器の筐体に設けられた開口部からＡＣアダプタのプラグが挿入され、ＤＣジャック１０４に差し込まれて電気的に接続し、ＡＣアダプタから内部基板１０１に電源が供給される。
【００１６】
ノートＰＣのＡＣアダプタのプラグは１日に数回抜き差しが行われるため、その度にＤＣジャック１０４に衝撃が伝わるが、内部基板１０１とＤＣジャック１０４の間に弾性体１０２が挟まれているため、内部基板１０１には衝撃が直接伝わらず軽減される。また、当然のことながら、ノートＰＣ内部に固定されているＨＤＤなどの振動や衝撃の影響を受けやすいユニットに対しても衝撃を軽減させることができ、ノートＰＣの不具合を引き起こす可能性を減らすことができる。
【００１７】
また、ＡＣアダプタのプラグとコードの断線も少なくすることができる。
【００１８】
（実施の形態２）
図２は本発明の実施形態２の電子機器であるノートＰＣのＤＣジャック配置構造を示す分解斜視図である。図において、２０１はノートＰＣの筐体で、開口部２０１ａが設けられている。２０２は弾性体、２０３はＤＣジャックである。また、図示していないが、ノートＰＣの筐体内部には内部基板の他に、ＨＤＤなどの振動や衝撃の影響を受けやすいユニットも設けられている。組み立て方法は筐体２０１の開口部２０１ａに弾性体２０２を圧入し、さらにその上からＤＣジャック２０３を圧入する。
【００１９】
以上のように構成された本実施の形態のＤＣジャック配置構造において、ＡＣアダプタのプラグ（図示せず）がＤＣジャック２０３に差し込まれて電気的に接続し、ＡＣアダプタから内部基板に電源が供給される。
【００２０】
ノートＰＣのＡＣアダプタのプラグは１日に数回抜き差しが行われるため、その度にＤＣジャック２０３に衝撃が伝わるが、ノートＰＣの筐体２０１とＤＣジャック２０３の間に弾性体２０２が挟まれているため、内部基板やノートＰＣ内部に固定されているＨＤＤなどの振動や衝撃の影響を受けやすいユニットに対しても衝撃を軽減させることができ、ノートＰＣの不具合を引き起こす可能性を減らすことができる。
【００２１】
また、実施形態１と同様、ＡＣアダプタのプラグとコードの断線も少なくすることができる。
【００２２】
なお、上記これらの実施の形態においては、ＡＣアダプタのプラグが挿入されるＤＣジャックの配置構造について説明したが、本発明はこれに限るものではなく、電子機器に設けられ、電子機器外部とコードやケーブルで接続されるあらゆるコネクタに適用できる。
【産業上の利用可能性】
【００２３】
本発明のコネクタ配置構造は、日々行われるコネクタ抜き差し時で発生する衝撃が、電子機器内部のユニットに伝わることを軽減することとなり、ノートパソコンなどの携帯性を有する電子機器において有用である。
【図面の簡単な説明】
【００２４】
【図１】本発明の実施の形態１における電子機器のＤＣジャック配置構造の斜視図および断面図
【図２】本発明の実施の形態２における電子機器のＤＣジャック配置構造の斜視図
【図３】従来のＤＣジャック配置構造図
【符号の説明】
【００２５】
１０１  内部基板
１０２、２０２  弾性体
１０３  ビス
１０４、２０３  ＤＣジャック
１０５  半田
２０１  筐体
２０１ａ  開口部
【図１】
2007087869.tif 000003
【図２】
2007087869.tif 000004
【図３】
2007087869.tif 000005